(57)【要約】【課題】押しボタンの押し操作をする単純な操作で、磁石体の移動を制御するとともに、移動時間を短くして消去に係る待ち時間を短くし、且つ電池の消耗を抑えることができる磁気画板の消去装置を提供すること。【解決手段】消去装置Ｂは磁気パネル２の背面側を摺動可能に配置され、磁気パネル２に表示された絵や文字を消去する板状の磁石体１５と、該磁石体を摺動移動させる移動機構Ｃとを備え、移動機構Ｃは１対のプーリー２０、２１と、該プーリー２０、２１に掛け渡されたベルト２２と、プーリーを回転させるモータ２６とで構成され、上記磁石体１５は上記ベルト２２の回転に連係して磁気パネル２の背面側を摺動移動し、上記モータ２６を駆動する制御回路Ｄは、上記磁気パネル２の両端部近傍に配置されたリミットスイッチ３０、３１と、押しボタン７の押し操作によりモータ２６に印加する電流の向きを変える切り換えスイッチ１９とを備えていること。【選択図】　　　　図１
2004074486.tif 000002
【特許請求の範囲】
【請求項１】
粘性流体と磁性粉とを封入した小室の集合体からなる磁気パネルの表面に、磁石を接触させて移動することにより、上記小室内の磁性粉を磁気パネルの表面側に吸引し、吸引した磁性粉によって絵や文字などを表示させる磁気画板に用いられる、以下の要件を備えることを特徴とする磁気画板の消去装置。
（イ）上記消去装置は上記磁気パネルの背面側を摺動可能に配置され、上記小室内の磁性粉を磁気パネルの背面側に吸引し、表示された絵や文字を消去する板状の磁石体と、該磁石体を摺動移動させる移動機構とを備えていること
（ロ）上記移動機構は１対のプーリーと、該プーリーに掛け渡されたベルトと、一方のプーリーを回転させ、上記磁石体を上記ベルトの回転に連係して磁気パネルの背面側を摺動移動させるモータとで構成されていること
（ハ）上記モータを駆動する制御回路は、上記磁気パネルの両端部近傍に配置されたリミットスイッチと、押しボタンの押し操作によりモータに印加する電流の向きを変える切り換えスイッチとを備え、該切り換えスイッチは磁石体の移動方向のリミットスイッチと閉回路が形成されるようになっていること
【請求項２】
前記磁石体はスライド部材に配置され、該スライド部材と前記ベルトとは緩衝部材を介して連結されている、請求項１記載の磁気画板の消去装置。
【発明の詳細な説明】
【０００１】
【発明の属する技術分野】
本発明は、磁気画板の消去装置、詳しくは磁気画板に表示された絵や文字を１つの押しボタンの押し操作で消去することができる磁気画板の消去装置に関する。
【０００２】
【従来の技術】
従来、磁気画板の消去装置としては、磁気パネルの背面側に摺動可能に配置された板状の磁石体を手で左右方向に移動させることにより、磁気パネル内の磁性粉を下側面から吸引し表示を消していた。この磁石体を手を使わずに移動して表示を消す消去装置が実公平７−３０３９７号公報に開示されている。この消去装置は磁気パネルの裏側面に配置された磁石体を往復移動させて表示を消すようにしているものである。
【０００３】
【発明が解決しようとする課題】
しかしながら、上述の消去装置では１回の消去動作で磁石体を磁気パネルの背面側を往復移動させているため、移動時間が長く次の描画を行なうまでの待ち時間が長くなるとともに、モータの作動時間も長いために電池の消耗も大きいほか、磁石体を移動途中で戻すことができない等の問題があった。
【０００４】
本発明は上記問題点を解消し、押しボタンの押し操作をする単純な操作で、磁石体の移動を制御するとともに、移動時間を短くして消去に係る待ち時間を短くし、且つ電池の消耗を抑えることができる磁気画板の消去装置を提供することをその課題とする。
【０００５】
【課題を解決するための手段】
前記課題を解決するため、本発明に係る磁気画板の消去装置は、粘性流体と磁性粉とを封入した小室の集合体からなる磁気パネルの表面に、磁石を接触させて移動することにより、上記小室内の磁性粉を磁気パネルの表面側に吸引し、吸引した磁性粉によって絵や文字などを表示させる磁気画板に用いられる、以下の要件を備えることを特徴とする。
（イ）上記消去装置は上記磁気パネルの背面側を摺動可能に配置され、上記小室内の磁性粉を磁気パネルの背面側に吸引し、表示された絵や文字を消去する板状の磁石体と、該磁石体を摺動移動させる移動機構とを備えていること
（ロ）上記移動機構は１対のプーリーと、該プーリーに掛け渡されたベルトと、一方のプーリーを回転させ、上記磁石体を上記ベルトの回転に連係して磁気パネルの背面側を摺動移動させるモータとで構成されていること
（ハ）上記モータを駆動する制御回路は、上記磁気パネルの両端部近傍に配置されたリミットスイッチと、押しボタンの押し操作によりモータに印加する電流の向きを変える切り換えスイッチとを備え、該切り換えスイッチは磁石体の移動方向のリミットスイッチと閉回路が形成されるようになっていること
【０００６】
なお、前記磁石体はスライド部材に配置され、該スライド部材と前記ベルトとは緩衝部材を介して連結されていることが好ましい。
【０００７】
【発明の実施の形態】
図１は、本発明に係る磁気画板の消去装置を適用した磁気画板の一例を示し、この磁気画板Ａは上カバー１と磁気パネル２と基台３とから構成され、磁気パネル２に先端に磁石が取り付けられた磁気ペン５や、底面に面状の磁石を貼着した磁気スタンプ６で描いた描画ａは押しボタン７を押し操作するだけで消去装置Ｂを作動させて描画ａを消去できるようにしたものである。
【０００８】
上カバー１は非磁性体であるプラスチック等の合成樹脂で形成され、中央には磁気パネル２の上面を露出させる矩形状の開口部１０が形成され、右下部には押しボタン７が上下動可能に配置されている。
【０００９】
磁気パネル２は粘性流体と磁性粉とを封入した小室を集合し、非磁性体の透明な保護シートで表面を覆って形成したパネル体で、磁気ペン５や磁気スタンプ６で小室内の磁性粉を吸引することにより磁性粉を磁気パネル２の表面側に移動させ、文字や絵を表示できるようにした公知の磁気パネルで構成され、基台３に形成された受部１１に収容されている。
【００１０】
基台３は上カバー１と同じく非磁性体であるプラスチック等の合成樹脂で形成され、左側部上面には、磁気ペン５を収容する凹部１２が形成され、上部上面には磁気スタンプ６を収容する凹部１３が形成されている。
【００１１】
基台の中央は磁気パネルよりやや小さな方形状の凹部１４が形成され、この凹部１４の底面上を帯状の磁石体１５が左右方向に摺動移動できるように配置されている。この磁石体１５は長板状のスライド部材１６の上面に固定され、スライド部材１６が左右に移動することにより磁石体１５が磁気パネル２の背面に接触又は接近した状態で左右に移動できるようになっている。凹部１４の上側壁面には左右方向に長孔１７が形成され、上記スライド部材１６の一端は長孔１７から基台３の裏面側に没入し、後述するベルト２２に緩衝部材であるスプリング２７を介して連結されている（図３参照）。
【００１２】
基台３の右側部には電池を収容する電池ボックス１８と後述する切り換えスイッチ１９とが配置され、基台３の裏面には消去装置Ｂが配置されている。
【００１３】
この消去装置Ｂは上記磁石体１５（スライド部材１６）を移動させる移動機構Ｃと、移動機構Ｃの駆動源であるモータ２６を制御する制御回路Ｄとで構成されている。
【００１４】
移動機構Ｂは、図３に示すように、磁気パネル２の左右両端の外側に位置する場所にそれぞれ配置された一対のプーリー２０、２１と、このプーリー２０、２１に掛け渡されたベルト２２と、一方のプーリー２０に一体に形成された平歯車２３に噛合する歯車２４と、この歯車２４に噛合するウォームギヤ２５を回転軸に固定したモータ２６とで構成されている。なお、図３において、符号２８は電源スイッチ、符号２９は電池を交換する際に開ける電池ボックス１８の蓋を示す。
【００１５】
図４は、上記モータ２６を駆動する制御回路Ｄを説明する回路図で、この制御回路（駆動回路）Ｄは２つのマイクロスイッチ３０、３１と１つのプッシュロックスイッチからなる切り換えスイッチ１９とで構成されている。各マイクロスイッチ３０、３１はスライド部材１６（磁石体１５）がオーバーランしないように規制するリミットスイッチで、プーリー２０、２１の内側近傍に配置され、モータ２６で回転させられたプーリー２０を介してベルト２２が回転し、スライド部材１６が磁気パネル２の端部まで移動するとスライド部材１６の端部がマイクロスイッチ２０又は２１に接触しマイクロスイッチ２０、又は２１をＯＦＦするように設定されている。
【００１６】
プッシュロックスイッチ１９は押しボタン式の２極双投スイッチで構成され、押しボタン７を押し下げたとき、ボタン１９ａは押し下げた状態に保持（ロック）されるとともに回路も切り換わった状態に保持され、再度、押しボタン７を押し下げることによりロックが解除されてボタン１９ａと回路が復帰する機構を備えたものであり、図４は、押しボタン７が押されて接点Ｃ１、Ｃ２及びＣ４、Ｃ５が短絡している状態を示すもので、再度押しボタン７を押したときには接点Ｃ３、Ｃ２及びＣ６、Ｃ５が短絡するようになっている。
【００１７】
上記プッシュロックスイッチ１９は、接点Ｃ１、Ｃ２及びＣ４、Ｃ５が短絡した時にはマイクロスイッチ３０と閉回路（実線で示す回路）が形成されてモータ２６に流れる電流は矢印Ｘに示す方向に流れ（図５（ａ）参照）、接点Ｃ３、Ｃ２及びＣ６、Ｃ５が短絡した時にはマイクロスイッチ３１と閉回路（実線で示す回路）が形成されてモータ２６に流れる電流は矢印Ｙに示す方向に流れ（図５（ｂ）参照）、押しボタン７を押すたびにモータ２６への印加電流が反転し、モータ２６の回転が反転するようにモータ２６の駆動回路が形成されている。
【００１８】
上記構成の磁気画板の消去装置によれば、押しボタン７を押し下げるとボタン１９ａが押されてプッシュロックスイッチ１９の接点が切り換わる（例えば、接点Ｃ１、Ｃ２及びＣ４、Ｃ５が短絡する）と、モータ２６の駆動回路は図５（ａ）の実線で示すような閉回路が形成され、モータ２６には矢印Ｘ方向に電流が流れてモータ２６が回転する（これを正回転と呼ぶことにする）。モータ２６が正回転すると、プーリー２０、２１は矢印方向に回転し、ベルト２２も同じ方向に回転する。ベルト２２にはスライド部材１６が取り付けられているので、スライド部材１６はベルト２２の回転に連係して図５（ａ）上を左方向に移動する。
【００１９】
モータ２６が連続して回転しているのでスライド部材１６に設けた磁石体１５は磁気パネル２の磁性粉を下方に吸引して磁気パネルの表示を消しながら継続して移動し、やがてスライド部材１６の端部１６ａがマイクロスイッチ３０に接触しこれをＯＦＦにする。マイクロスイッチ３０がＯＦＦになるとモータ２６の駆動回路は開放しモータ２６は停止する。この状態では磁石体１５は磁気パネル２の右側端部に位置している。
【００２０】
この状態で、押しボタン７を押し下げるとボタン１９ａが押されてプッシュロックスイッチ１９の接点が切り換わる（このときは、接点Ｃ３、Ｃ２及びＣ６、Ｃ５が短絡する）と、モータ２６の駆動回路は図５（ｂ）の実線で示すような閉回路が形成され、モータ２６には矢印Ｙ方向に電流が流れてモータ２６が回転する（これを逆回転と呼ぶことにする）。モータ２６が逆回転すると、プーリー２０、２１は矢印方向に回転し、ベルト２２も同じ方向に回転する。ベルト２２にはスライド部材１６が取り付けられているので、ベルト２２の回転に連係して図５（ｂ）上を右方向に移動する。
【００２１】
モータ２６が連続して回転しているのでスライド部材１６は継続して移動し、やがてスライド部材１６の端部１６ａがマイクロスイッチ３１に接触しこれをＯＦＦにする。マイクロスイッチ３１がＯＦＦになるとモータ２６の駆動回路は開放しモータ２６は停止する。この状態では磁石体１５は磁気パネル２の左側端部に位置している。
【００２２】
上述のように、押しボタン７を押すたびにモータ２６の回転が反転してスライド部材１６（磁石体１５）は逆方向に移動するので、スライド部材１６の磁石体１５が、磁気パネル２内の磁性粉を下方から吸引しながら左右方向に移動して磁気ペンや磁気スタンプで表示された絵や文字を押しボタン７を押すという単純な操作で簡単に消去することができる。
【００２３】
なお、スライド部材１６が移動中に押しボタン７を押すと、プッシュロックスイッチ１９の接点は切り換わるがマイクロスイッチ３０、３１は何れもスライド部材１６の端部１６ａに接触していないのでＯＮ状態にあり駆動回路は閉回路を形成しているのでモータ２６は停止することなく回転が反転し、スライド部材１６は移動途中で元の位置に向かって復帰移動させることができるので、磁石体１５の停止状態側の磁気パネル２の半分を消去することが可能になり、従来の手で磁石体を移動さる磁気画板と同様に、移動途中の磁石体を途中で戻した時と全く同じ状態で磁気パネル２の表示を消去することができる。
【００２４】
また、スライド部材１６は緩衝部材であるスプリング２７を介してベルト２２に連結されているので、スライド部材１６に負荷が掛かってもスプリング２７が延びて負荷を吸収するので、モータ２６や歯車等に対するダメージを回避することができる。
【００２５】
しかも、切り換えスイッチ１９とマイクロスイッチ３０、３１との組合せでモータの駆動回路を形成するとともに、何れか一方のマイクロスイッチと切り換えスイッチとでモータの駆動回路が形成され、スライダは駆動回路を形成するマイクロスイッチに接触する方向に移動するようにしたので、スライド部材１６は往復移動することなく一方向の移動で停止させることができるのでスライダの移動時間が半分になり消去動作中の待ち時間が短くなるとともに、モータの駆動時間も短くなるので電池の消耗を抑えることができ経済的効果も期待できる。
【００２６】
【発明の効果】
請求項１の発明によれば、押しボタンの押し操作をする単純な操作で、磁石体の移動を制御するとともに、移動時間を短くして消去に係る待ち時間を短くするとともに、電池の消耗を抑えることができる。
【００２７】
請求項２の発明によれば、磁石体の移動中に負荷が発生しても磁石体を移動させる機構に負荷がおよばないようにすることができ、モータや歯車にダメージを与えるトラブルを回避することができる。
【図面の簡単な説明】
【図１】本発明に係る磁気画板の消去装置を適用した磁気画板の一例を示す斜視図
【図２】上記磁気画板の分解斜視図
【図３】上記磁気画板の裏蓋を外した状態の底面図
【図４】モータを制御する回路図
【図５】（ａ）（ｂ）はモータの制御態様を説明する回路図
【符号の説明】
１　上カバー
２　磁気パネル
３　基台
７　押しボタン
１５　磁石体
１６　スライド部材
１９　切り換えスイッチ
２０、２１　プーリー
２２　ベルト
２６　モータ
２７　緩衝部材（スプリング）
３０、３１　リミットスイッチ
Ａ　磁気画板
Ｂ　消去装置
Ｃ　移動機構
Ｄ　制御回路
【図１】
2004074486.tif 000003
【図２】
2004074486.tif 000004
【図３】
2004074486.tif 000005
【図４】
2004074486.tif 000006
【図５】
2004074486.tif 000007